(57)【特許請求の範囲】
【請求項１】
複数のチャンネルを有する放送信号を受信する受信手段と、
チャンネル、番組放送時間、番組名および番組内容説明を含む番組関連情報を取得する情報取得手段と、
チャンネルの切り換えが実行されたとき、前記情報取得手段により取得した番組関連情報に基づき、切換先のチャンネルで放送中の番組の次に放送される番組の情報を、現在時刻とともに、当該番組の画面上に表示するよう制御する制御手段と、を具備し、
番組詳細の表示を指示する入力が検出されたときに前記次に放送される番組の情報が表示中である場合、前記制御手段は、当該次に放送される番組の番組内容説明を含む詳細情報を表示するよう制御することを特徴とする放送受信装置。
【請求項２】
放送受信装置の放送表示方法であって、
前記放送受信装置が、
複数のチャンネルを有する放送信号を受信手段により受信し、
チャンネル、番組放送時間、番組名および番組内容説明を含む番組関連情報を取得し、
チャンネルの切り換えが実行されたとき、前記番組関連情報に基づき、切換先のチャンネルで放送中の番組の次に放送される番組の情報を、現在時刻とともに、当該番組の画面上に表示するよう制御し、
番組詳細の表示を指示する入力が検出されたときに前記次に放送される番組の情報が表示中である場合、当該次に放送される番組の番組内容説明を含む詳細情報を表示するよう制御することを特徴とする放送表示方法。
【発明の詳細な説明】
【技術分野】
【０００１】
本発明は、放送受信装置の画面上に、受信中のチャンネル以外のチャンネルで次に放送される番組の情報を表示する放送受信装置および放送表示方法に関するものである。
【背景技術】
【０００２】
近年、地上デジタル放送（以下、地デジという）やハイビジョン放送に対応した放送受信装置の普及に伴い、電子番組表(Electronic Program Guide；ＥＰＧ)の受信機能を備えた放送受信装置も増加している。そのような電子番組表(ＥＰＧ)の受信機能を備えた放送受信装置では、ユーザ入力（例えばリモコン送信機からの選択入力）に応じて画面上に番組表の一部を切り出して表示することによって、現在視聴中の番組の番組名や番組放送時間等の情報を表示することができる（例えば特許文献１および特許文献２を参照）。
【０００３】
【特許文献１】特開平６−１５３１０９号公報
【特許文献２】特開平１１−２６６４０８号公報
【発明の開示】
【発明が解決しようとする課題】
【０００４】
例えば、地デジの視聴中に番組表を見る場合には、図９（ａ）に示すテレビ（ＴＶ）画面から図９（ｂ）に示す番組表画面に画面を切り換える必要があり、ＴＶ画面を継続して視聴することができない。図１０に示すように、ＴＶ画面に番組表から取得した番組名を重ねて表示することもできるが、その場合には、当該チャンネルにおいて現在放送中（現在視聴中）の番組の番組名だけが表示されるため、次に放送される番組がどのような番組であるかを知ることができない。上記特許文献１および上記特許文献２に記載の放送受信装置は、ユーザ（視聴者）がＣＭ中等に興味を持てる番組を探すためにチャンネルのザッピング（Zapping ；チャンネルを素早く切り換える操作）を行った場合、ユーザ（視聴者）は番組表を見ないと次に放送される番組がどのような番組であるかを知ることができない。また、図１０に示すように、チャンネル切換時に、現在放送中の番組情報を表示するものもあるが、通常、ＴＶ放送においては次番組の開始までを現番組として判断するため、例えば図１１（ｂ）に示すように、１０：００から次番組が始まるチャンネルに９：５８に切り換えた場合、現番組は実質終了して次番組までのＣＭ放送中であるようなときにも、現番組の情報を表示してしまう。上記特許文献１および上記特許文献２に記載の放送受信装置は、例えば図１１（ｂ）に示すような次番組開始２分前のコマーシャル（ＣＭ）中に次番組を確認するには、図１１（ａ）に示すような番組表画面（ＥＰＧ画面）に切り換えることにより番組表を表示してユーザ（視聴者）に確認させることができるが、番組表の表示には別途ユーザによる操作が必要であり、また、視聴中の番組の表示が途切れたりＴＶ画面が番組表に占拠されたりして、快適な環境で番組を視聴し続けることができなくなってしまうとともに、番組表は全チャンネルの番組の情報を集めたものであり、表示のための処理に多大な時間を要するため、希望のチャンネルの番組の情報だけを見るのには適していない。
【０００５】
本発明は、ザッピング等によるチャンネル切り換えの際に切換先のチャンネルで次に放送される番組の情報を画面に表示する機能を付与することにより、ユーザの利便性を向上させた放送受信装置を提供することを第１の目的とする。
本発明は、ザッピング等によるチャンネル切り換えの際に切換先のチャンネルで次に放送される番組の情報を画面に表示することにより、ユーザの利便性を向上させた放送表示方法を提供することを第２の目的とする。
【課題を解決するための手段】
【００１０】
上記第１の目的を達成するため、請求項１に係る放送受信装置は、複数のチャンネルを有する放送信号を受信する受信手段と、チャンネル、番組放送時間、番組名および番組内容説明を含む番組関連情報を取得する情報取得手段と、チャンネルの切り換えが実行されたとき、前記情報取得手段により取得した番組関連情報に基づき、切換先のチャンネルで放送中の番組の次に放送される番組の情報を、現在時刻とともに、当該番組の画面上に表示するよう制御する制御手段と、を具備し、番組詳細の表示を指示する入力が検出されたときに前記次に放送される番組の情報が表示中である場合、前記制御手段は、当該次に放送される番組の番組内容説明を含む詳細情報を表示するよう制御することを特徴とする。
【００１５】
上記第２の目的を達成するため、請求項２に係る放送表示方法は、複数のチャンネルを有する放送信号を受信手段により受信し、チャンネル、番組放送時間、番組名および番組内容説明を含む番組関連情報を取得し、チャンネルの切り換えが実行されたとき、前記番組関連情報に基づき、切換先のチャンネルで放送中の番組の次に放送される番組の情報を、現在時刻とともに、当該番組の画面上に表示するよう制御し、番組詳細の表示を指示する入力が検出されたときに前記次に放送される番組の情報が表示中である場合、当該次に放送される番組の番組内容説明を含む詳細情報を表示するよう制御することを特徴とする。
【発明の効果】
【００１６】
本発明によれば、ザッピング等によるチャンネル切り換えの際に切換先のチャンネルで次に放送される番組の情報を画面に表示するので、ユーザの利便性を向上させた放送受信装置および放送表示方法を提供することができる。
【発明を実施するための最良の形態】
【００１７】
以下、本発明を実施するための最良の形態を図面に基づき詳細に説明する。図１は本発明の第１実施形態の放送受信装置の第１の構成を示すブロック図であり、図２は本発明の第１実施形態の放送受信装置の第２の構成を示すブロック図である。
【００１８】
図１に示す放送受信装置１００−１は、受信部と表示部とが分離された構成（分離型）となっており、地デジチューナ装置や地デジ受信機能を搭載した録画装置が該当する。この放送受信装置１００−１は、アンテナ１１０と、アンテナ１１０経由で複数のチャンネルを有する放送信号を受信する受信部１２０と、受信した放送信号に基づき映像解析を行う映像解析部１３０と、受信した放送信号に基づき音声解析を行う音声解析部１４０と、受信した放送信号やデータ等を記憶する記憶部１５０と、ユーザ（視聴者）が地デジ放送等を視聴する際の各種操作に伴う入力情報を処理する操作部１６０と、受信した放送信号に基づき番組表解析を行う番組表解析部１７０と、予約録画等の時間管理を行う時間管理部１８０と、視聴する番組の映像信号を出力する映像出力部１９０と、視聴する番組の音声信号を出力する音声出力部２００と、受信部１２０、映像解析部１３０、音声解析部１４０、記憶部１５０、操作部１６０、番組表解析部１７０、時間管理部１８０、映像出力部１９０および音声出力部２００の動作を制御する制御部２１０とを具備して成る。なお、受信部１２０を複数個搭載する構成としてもよい。
【００１９】
図２に示す放送受信装置１００−２は、受信部と表示部とが一体化された構成（一体型）となっており、ワンセグメント放送（以下、ワンセグという）の受信機能を有する各種携帯端末（ワンセグ対応携帯電話機、ワンセグ対応ＰＤＡ等）が該当する。この放送受信装置１００−２は、アンテナ１１０と、アンテナ１１０経由で複数のチャンネルを有する放送信号を受信する受信部１２０と、受信した放送信号に基づき映像解析を行う映像解析部１３０と、受信した放送信号に基づき音声解析を行う音声解析部１４０と、受信した放送信号やデータ等を記憶する記憶部１５０と、ユーザ（視聴者）が地デジ放送等を視聴する際の各種操作に伴う入力情報を処理する操作部１６０と、受信した放送信号に基づき番組表解析を行う番組表解析部１７０と、予約録画等の時間管理を行う時間管理部１８０と、視聴する番組の映像表示を行う表示部１９５と、視聴する番組の音声信号を音声に変換するスピーカ２０５と、受信部１２０、映像解析部１３０、音声解析部１４０、記憶部１５０、操作部１６０、番組表解析部１７０、時間管理部１８０、表示部１９５およびスピーカ２０５の動作を制御する制御部２１０とを具備して成る。なお、受信部１２０を複数個搭載する構成としてもよい。
以下、放送受信装置１００−１および放送受信装置１００−２を包含して、放送受信装置１００として説明する。
【００２０】
次に、本実施形態の放送受信装置における情報表示制御を図３および図４のフローチャートに基づいて説明する。
【００２１】
図３は第１実施形態の放送受信装置１００において実施される情報表示制御の一例を示すフローチャートである。この図３に示す情報表示制御は、ユーザ（視聴者）によるチャンネル切換開始時に起動される。まず、図３のステップＳ１１では、切換先のチャンネルで現在放送中（視聴中）の番組の番組名等を含む番組情報（以下、現番組情報という）および次に放送される番組の番組名等を含む番組情報（以下、次番組情報という）を取得する。現番組情報および次番組情報を取得する手法としては、受信した放送信号に含まれている番組関連情報（例えば電子番組表（ＥＰＧ）等）から現番組情報および次番組情報を取得する手法や、インターネット経由で現番組情報および次番組情報を取得する手法を用いる。また、放送信号またはインターネットより定期的に取得し、記憶部１５０に記憶された電子番組表から現番組情報および次番組情報を取得してもよい。次のステップＳ１２では、現番組情報および次番組情報を放送受信装置の内部または外部の表示部に表示する。次のステップＳ１３では、現番組が終了するまでの残時間（Ｔ）を取得する。残時間（Ｔ）を取得する手法としては、例えば受信した放送信号に含まれている電子番組表（ＥＰＧ）から時間（Ｔ）を取得する手法を用いる。
【００２２】
次のステップＳ１４では、残時間（Ｔ）と閾値とを比較し、閾値≧ＴならばステップＳ１５に進み、閾値＜ＴならばステップＳ１６に進んで次番組情報の表示を一定時間（例えば１０秒間）行った後に消去する。上記閾値は、放送の終端部分に対応する短い時間、例えば５分に設定する。ステップＳ１５では、次番組放送開始時刻になったか否かを判断し、次番組放送開始時刻になるまではステップＳ１７に進み、次番組放送開始時刻になったときにステップＳ１８に進んで次番組情報の表示を消去する。ステップＳ１７では、番組情報ボタンの押下の有無を判断し、番組情報ボタンの押下が無ければステップＳ１５に戻って現番組情報および次番組情報の表示を継続し、番組情報ボタンの押下があった場合には、ステップＳ１９に進んで次番組の詳細情報を放送受信装置の内部または外部の表示部に表示する。
【００２３】
図４は第１実施形態の放送受信装置１００において実施される情報表示制御の他の例を示すフローチャートである。この図４に示す情報表示制御は、ユーザ（視聴者）によるチャンネル切換開始時に起動される。まず、図３のステップＳ２１では、図３のステップＳ１１と同様に切換先のチャンネルの現番組情報を取得し、次のステップＳ２２では、次番組の放送開始まで閾値時間以内になったか否かを判断し、次番組の放送開始まで閾値時間以内になるまではステップＳ２３以降に進み、次番組の放送開始まで閾値時間以内になったらステップＳ２６以降に進む。上記閾値時間は、次番組の放送開始直前に対応する短い時間、例えば５分に設定する。
【００２４】
次番組の放送開始まで閾値時間以内になっていない場合に対応するステップＳ２３では、現番組情報のみを表示する。次のステップＳ２４では、番組情報ボタンの押下の有無を判断し、番組情報ボタンの押下があった場合には、ステップＳ２５に進んで現番組の詳細情報を放送受信装置の内部または外部の表示部に表示し、番組情報ボタンの押下が無ければステップＳ２５の処理をスキップする。一方、次番組の放送開始まで閾値時間以内になった場合に対応するステップＳ２６では、図３のステップＳ１１と同様にして次番組情報を取得し、次のステップＳ２７では、現番組情報および次番組情報を表示する。次のステップＳ２８では、番組情報ボタンの押下の有無を判断し、番組情報ボタンの押下があった場合には、ステップＳ２９に進んで次番組の詳細情報を放送受信装置の内部または外部の表示部に表示し、番組情報ボタンの押下が無ければステップＳ２９の処理をスキップする。
【００２５】
上記ステップ２３の現番組情報の表示および上記ステップ２５の現番組の詳細情報の表示は、例えば一定時間後に消去しても良いし、次番組開始まで継続して表示させても良い。一方、上記ステップ２７の現番組情報および次番組情報の表示および上記ステップ２９の次番組の詳細情報の表示は、ステップＳ３０の判断がＮＯの間、すなわち次番組の放送開始時刻になるまで継続され、ステップＳ３０の判断がＹＥＳ、すなわち放送開始時刻になったら、ステップＳ３１に進んで上述した番組情報、詳細情報の表示を消去する。
【００２６】
次に、本実施形態の放送受信装置における情報表示制御の動作例を図面に基づいて説明する。
【００２７】
［動作例１；ザッピングに伴う現番組情報および次番組情報の表示］
図３のステップＳ１１−ステップＳ１２を実行することにより、ザッピングによって切り換えたチャンネルの現番組情報および次番組情報を表示する。
例えば図５（ａ），（ｂ）に示すように、ユーザ（視聴者）によりチャンネルＣＨ１からチャンネルＣＨ２へのチャンネル切換操作が行われると、例えば図５（ｂ）に示すように、切り換えられたチャンネルであるＣＨ２の現番組情報（図示例の場合「旅番組」）および次番組情報（図示例の場合「１０：００−１１：００  報道」）がＴＶ画面の上部に表示される。なお、地デジやワンセグ等のデジタル放送は、デコード処理に数秒間を要するため、実際には、番組名はチャンネル切換直後に表示されるが、ＴＶ画面は数秒後に表示される。
【００２８】
本実施形態の放送受信装置における情報表示制御の動作例１によれば、ザッピングに伴い、チャンネル切り換えの際に切換先のチャンネルで次に放送される番組の情報（番組名等）を画面に表示するので、ユーザの利便性を向上させた放送受信装置および放送表示方法を提供することができる。特に、デジタル放送では、ザッピング時にＴＶ画面が表示されるのを待つことなく、切換先のチャンネルの現番組情報、次番組情報が表示されるので、快適にザッピングを行うことができる。
【００２９】
［動作例２；次番組情報の表示の消去］
動作例２の次番組情報の表示は、次番組の放送開始時刻までの残時間の長短に応じた最適なタイミングで消去することが次番組情報の表示の本来の目的を達成する上で好ましいことを考慮して、次番組の放送開始時刻までの残時間が長い場合には、次番組情報の表示を一定時間行った後に消去し、次番組の放送開始時刻までの残時間が短い場合（放送開示直前の場合）には、次番組の放送開始時刻まで次番組情報の表示を継続し、放送開始時刻になったときに消去する。
すなわち、次番組の放送開始時刻までの残時間が長い場合には、図３のステップＳ１１−ステップＳ１２−ステップＳ１３−ステップＳ１４のＹＥＳ−ステップＳ１６を実行することにより、例えば図６（ａ）に示すように、ＴＶ画面およびＣＨ１の現番組情報（図示例の場合「ニュース９」）が表示されている画面に次番組情報（図示例の場合「１０：３０−１１：００  スポーツ１０３０」）の表示を一定時間行った後に消去し、次番組の放送開始時刻までの残時間が短い場合（放送開示直前の場合）には、図３のステップＳ１１−ステップＳ１２−ステップＳ１３−ステップＳ１４のＮＯ−ステップＳ１５のＹＥＳ−ステップＳ１８を実行することにより、例えば図６（ｂ）に示すように、ＴＶ画面およびＣＨ２の現番組情報（図示例の場合「旅番組」）が表示されている画面に、次番組の放送開始時刻まで次番組情報（図示例の場合「１０：００−１１：００  報道」）を表示し続け、放送開始時刻になったときに消去する。
【００３０】
本実施形態の放送受信装置における情報表示制御の動作例２によれば、チャンネル切り換えに伴い、切換先のチャンネルで次に放送される番組の情報（番組名等）を画面に表示するとともに、その番組情報の表示を次番組の放送開始時刻までの残時間の長短に応じた最適なタイミングで消去するので、ユーザの利便性を向上させた放送受信装置および放送表示方法を提供することができる。
【００３１】
［動作例３；切換先のチャンネルの次番組開始までの時間に応じた次番組情報の表示］
図４のステップＳ２１−ステップＳ２２のＹＥＳ−ステップＳ２６−ステップＳ２７を実行することにより、次番組の放送開始時刻まで閾値時間以内であれば、切換先のチャンネルの次番組情報を表示し、閾値時間以上であれば切換先のチャンネルの次番組情報を表示しない。
例えば図７（ａ）に示すように、切換先のチャンネルがＣＨ１であった場合、ＣＨ１の現番組情報（図示例の場合「ニュース９」）のみを表示し、次番組情報（図示例の場合「１０：３０−１１：００  スポーツ１０３０」）は表示せず、切換先のチャンネルがＣＨ２であった場合、例えば図７（ｂ）に示すようにＣＨ２の現番組情報（図示例の場合「旅番組」）および次番組情報（図示例の場合「１０：００−１１：００  報道」）がＴＶ画面の上部に表示される。なお、地デジやワンセグ等のデジタル放送は、デコード処理に数秒間を要するため、実際には、番組名はチャンネル切換直後に表示されるが、ＴＶ画面は数秒後に表示される。
【００３２】
本実施形態の放送受信装置における情報表示制御の動作例３によれば、チャンネル切換時に切換先のチャンネルの次番組開始までの時間に応じて、当該切換先のチャンネルで次に放送される番組の情報を画面に表示するので、次番組の開始直前であることを直感的に知らせることができ、ユーザの利便性を向上させた放送受信装置および放送表示方法を提供することができる。
【００３３】
［動作例４−１；番組情報ボタンの押下に伴う次番組の詳細情報の表示］
動作例１による次番組情報の表示中に番組情報ボタンが押下された場合には、次番組の詳細情報を表示する。
図３のステップＳ１１−ステップＳ１２−ステップＳ１３−ステップＳ１４のＮＯ−ステップＳ１５のＮＯ−ステップＳ１８−ステップＳ１７のＹＥＳ−ステップＳ１９を実行することにより、例えば図８（ａ）に示すように、ＣＨ２の現番組情報（図示例の場合「旅番組」）および次番組情報（図示例の場合「１０：００−１１：００  報道」）がＴＶ画面の上部に表示されているときに、番組情報ボタンが押下されると、例えば図８（ｂ）に示すように、ＣＨ２の次番組の詳細情報（図示例の場合「潜入！閑静な住宅街に詐欺集団のアジトを発見！」）をＴＶ画面の上部に表示する。なお、ＴＶ画面に対する次番組の詳細情報表示の比率は、例えば図８（ｃ）に示すように視聴の邪魔をしない程度のサイズになるようにするものとするが、ワンセグ対応携帯電話機のように視聴の邪魔をしない程度のサイズすることが困難な場合には、図示を省略するが、次番組の詳細情報を一列ずつスクロール表示するようにする。
【００３４】
［動作例４−２；番組情報ボタンの押下に伴う次番組の詳細情報の表示］
動作例３による次番組情報の表示中に番組情報ボタンが押下された場合には、次番組の詳細情報を表示する。
図４のステップＳ２１−ステップＳ２２のＹＥＳ−ステップＳ２６−ステップＳ２７−ステップＳ２８のＹＥＳ−ステップＳ２９を実行することにより、例えば図８（ａ）に示すように、ＣＨ２の現番組情報（図示例の場合「旅番組」）および次番組情報（図示例の場合「１０：００−１１：００  報道」）がＴＶ画面の上部に表示されているときに、番組情報ボタンが押下されると、例えば図８（ｂ）に示すように、ＣＨ２の次番組の詳細情報（図示例の場合「潜入！閑静な住宅街に詐欺集団のアジトを発見！」）をＴＶ画面の上部に表示する。なお、ＴＶ画面に対する次番組の詳細情報表示の比率は、例えば図８（ｃ）に示すように視聴の邪魔をしない程度のサイズになるようにするものとするが、ワンセグ対応携帯電話機のように視聴の邪魔をしない程度のサイズすることが困難な場合には、図示を省略するが、次番組の詳細情報を一列ずつスクロール表示するようにする。
【００３５】
なお、上記情報表示制御の動作例４−１，４−２において、チャンネル切換時に番組情報ボタンの押下によって表示される「次番組の詳細情報」を選択して「録画ボタン」を押下した場合に当該次番組の予約録画を行うように構成してもよい。
【００３６】
本実施形態の放送受信装置における情報表示制御の動作例４−１，４−２によれば、チャンネル切換時に切換先のチャンネルで次に放送される番組の情報（次番組情報）を画面に表示するとともに、次番組情報の表示中に番組情報ボタンが押下された場合に次番組の詳細情報を表示するので、ユーザの利便性を向上させた放送受信装置および放送表示方法を提供することができる。
【図面の簡単な説明】
【００３７】
【図１】本発明の第１実施形態の放送受信装置の第１の構成を示すブロック図である
【図２】本発明の第１実施形態の放送受信装置の第２の構成を示すブロック図である。
【図３】第１実施形態の放送受信装置における情報表示制御の一例を示すフローチャートである。
【図４】第１実施形態の放送受信装置における情報表示制御の他の例を示すフローチャートである。
【図５】（ａ），（ｂ）は第１実施形態の放送受信装置における情報表示制御の動作例１を説明するための図である。
【図６】（ａ），（ｂ）は第１実施形態の放送受信装置における情報表示制御の動作例２を説明するための図である。
【図７】（ａ），（ｂ）は第１実施形態の放送受信装置における情報表示制御の動作例３を説明するための図である。
【図８】（ａ）〜（ｃ）は第１実施形態の放送受信装置における情報表示制御の動作例４−１，４−２を説明するための図である。
【図９】（ａ），（ｂ）は従来の放送受信装置における番組表の表示のための表示切換動作を説明するための図である。
【図１０】従来の放送受信装置における番組名の表示状態を説明するための図である。
【図１１】（ａ），（ｂ）は従来の放送受信装置における番組表の表示のための表示切換動作を説明するための図である。
【符号の説明】
【００３８】
１００，１００−１，１００−２  放送受信装置
１１０  アンテナ
１２０  受信部
１３０  映像解析部
１４０  音声解析部
１５０  記憶部
１６０  操作部
１７０  番組表解析部
１８０  時間管理部
１９０  映像出力部
１９５  表示部  
２００  音声出力部
２０５  スピーカ
２１０  制御部
【図１】
0005383975.tif 000002
【図２】
0005383975.tif 000003
【図３】
0005383975.tif 000004
【図４】
0005383975.tif 000005
【図５】
0005383975.tif 000006
【図６】
0005383975.tif 000007
【図７】
0005383975.tif 000008
【図８】
0005383975.tif 000009
【図９】
0005383975.tif 000010
【図１０】
0005383975.tif 000011
【図１１】
0005383975.tif 000012